(57)【要約】【課題】取り扱いが容易で、特に化粧料の噴霧に適した噴霧器を提供することを課題とする。【解決手段】先端に塗布組成物の噴霧ヘッド２ａを有する噴霧器本体２と、圧縮気体が充填された加圧タンク３と、この加圧タンクから前記噴霧器本体に前記圧縮気体を供給する気体供給管４とを備え、前記噴霧器本体には、その先端部と後端部との間に、前記塗布組成物を供給する組成物供給タンク５と、前記塗布組成物を前記噴霧ヘッドから噴出させる操作部Ｃが設けられているとともに、後端部に、使用者の手のひらによって把持される略卵形の把持部Ｇが形成されている。【選択図】図２
2018000752.tif 000002
【特許請求の範囲】
【請求項１】
圧縮気体により塗布組成物を噴霧する噴霧器であって、先端に前記塗布組成物の噴霧ヘッドを有する噴霧器本体と、前記圧縮気体が充填された加圧タンクと、この加圧タンクから前記噴霧器本体に前記圧縮気体を供給する気体供給管とを備え、前記噴霧器本体には、その先端部と後端部との間に、前記塗布組成物を供給する組成物供給タンクと、前記塗布組成物を前記噴霧ヘッドから噴出させる操作部が設けられているとともに、後端部に、使用者の手のひらによって把持される略卵形の把持部が形成されていることを特徴とする噴霧器。
【請求項２】
前記操作部が、使用者が前記把持部を把持した状態で、使用者の親指若しくは人差し指が位置させられる部位に設けられていることを特徴とする請求項１に記載の噴霧器。
【請求項３】
前記加圧タンクを覆ってカバーが設けられ、このカバーが、その下部に前記加圧タンクを上方から覆う下部収容部を備えているとともに、この下部収容部から上方へ向けて先細り状に連設され、その上端部に、前記噴霧器本体の先端部が着脱可能に装着される本体保持部が設けられていることを特徴とする請求項１または請求項２の何れかに記載の噴霧器。
【請求項４】
前記カバーの側面には、前記気体供給管の一端部が挿通されるガイド孔が形成されていることを特徴とする請求項３に記載の噴霧器。
【請求項５】
前記カバーの側面には、前記組成物供給タンクが着脱可能に装着されるタンク保持部が形成されていることを特徴とする請求項３または請求項４に記載の噴霧器。
【発明の詳細な説明】
【技術分野】
【０００１】
本発明は、取り扱いを容易にした噴霧器に関する。
【背景技術】
【０００２】
従来のメイクアップ化粧料の肌への典型的な塗布具として、手指、スポンジ、パフ、ブラシ等がある。
一方、近年では、メイクアップ化粧料を噴霧することも提案されている。
例えば、特許文献１には、化粧料噴霧器を用いた化粧方法が記載されている。
この化粧料噴霧器は、噴霧器本体であるエアブラシと、このエアブラシと気体用ホースコネクター間に介挿される中空状の気体用ホースと、エアブラシにエアを供給するコンプレッサーと、を備えている。エアブラシは、化粧料を噴出させるノズルと、化粧料を供給する化粧料入れカップと、化粧料の噴出量を調整する調整レバーと、エア搬送用の気体用ホースを差し込む気体用ホースコネクターとを備えている。
【先行技術文献】
【特許文献】
【０００３】
【特許文献１】特開２０１３−４２９３０号公報
【発明の概要】
【発明が解決しようとする課題】
【０００４】
特許文献１に記載される従来の化粧料噴霧器は、手で把持し、指で調整レバーを引くことにより化粧料を噴霧するタイプの、いわゆるガンタイプであり、化粧という繊細な行為を行う器具としては操作性に欠けるものであった。また、顔に向けるという性質からもガンタイプの器具は好ましいものとは言えなかった。
【０００５】
特に、前述した従来の技術では、化粧料の噴霧に際して、噴霧器本体を指先で保持するとともに、保持した指で調整レバーを操作しなければならないことから、噴霧器本体が、保持する手中で安定せず、操作が煩雑で、塗布方向がふらついてしまうという改善点が残されている。
【０００６】
本発明は、上述した問題を解決しようとするものであり、取り扱いが容易で、特に化粧料の噴霧に適した噴霧器を提供することを課題とする。
【課題を解決するための手段】
【０００７】
本発明の噴霧器は、前述した課題を解決するために、圧縮気体により塗布組成物を噴霧する噴霧器であって、先端に前記塗布組成物の噴霧ヘッドを有する噴霧器本体と、前記圧縮気体が充填された加圧タンクと、この加圧タンクから前記噴霧器本体に前記圧縮気体を供給する気体供給管とを備え、前記噴霧器本体には、その先端部と後端部との間に、前記塗布組成物を供給する組成物供給タンクと、前記塗布組成物を前記噴霧ヘッドから噴出させる操作部が設けられているとともに、後端部に、使用者の手のひらによって把持される略卵形の把持部が形成されていることを特徴としている。
【０００８】
このような構成とすることにより、噴霧器の使用者は、前記噴霧器本体の後端部に形成されている把持部を手のひらで包み込むように把持することによってこの噴霧器本体を保持する。
【０００９】
ここで、使用者は、手のひらによって前記噴霧器本体をしっかりとつかむことができるので、この噴霧器本体を安定して保持することができる。
この保持は、主に、中指、薬指、および、小指によって行なわれ、人差し指および親指は、前記噴霧器本体に軽く添えられるか自由である。
【００１０】
そして、前記噴霧器を保持した状態において、前述したように自由状態に近い親指若しくは人差し指で前記操作部を操作することにより、前記加圧タンク内の圧縮気体を前記気体供給管を経て前記噴霧器本体に供給することにより、前記組成物供給タンク内の塗布組成物を、前記噴霧器本体の噴霧ヘッドから噴霧することができる。
【００１１】
このような噴霧操作に際し、前述したように、前記噴霧器本体が安定して保持されていることにより、塗布組成物を安定して噴霧することができ、均一な塗布を行なうことができる。
【００１２】
そして、前記操作部を、使用者が前記把持部を把持した状態で、使用者の親指若しくは人差し指が位置させられる部位に設けておくことにより、前記噴霧器本体を把持した際に、親指若しくは人差し指が自然と前記操作部に対峙させられる。
【００１３】
これによって、前記噴霧器本体を安定した状態で保持しつつ、前記操作部の操作が可能となり、より安定した塗布操作を行なうことができる。
【００１４】
一方、前記加圧タンクを覆ってカバーを設けておき、このカバーに、その下部に前記加圧タンクを上方から覆う下部収容部を形成し、この下部収容部から上方へ向けて先細り状に本体保持部を連設し、この本体保持部の上端部に、前記噴霧器本体の先端部が着脱可能に装着される本体保持部を設けておくこともできる。
【００１５】
このような構成とすることにより、前記噴霧器の不使用時に、前記噴霧器本体を前記カバーの上端部に形成されている前記本体保持部に差し込んで収納することができる。
【００１６】
したがって、不使用時にあっては、前記噴霧器本体を前記加圧タンクと一体化することにより、この噴霧器をコンパクトに収納することができる。
【００１７】
前記加圧タンクを前記カバーによって覆うようにした場合、前記カバーの側面に、前記気体供給管の一端部が挿通されるガイド孔を形成しておくことが望ましい。
【００１８】
これによって、前記カバー内の前記加圧タンクと前記噴霧器本体とを連通する前記気体供給管の取り回しを容易にする。
【００１９】
そして、前記カバーの側面に、前記組成物供給タンクが着脱可能に装着されるタンク保持部を形成しておくこともできる。
【００２０】
このような構成とすることにより、不使用時等において前記組成物供給タンクを前記噴霧器本体から取り外して前記カバーに取り付けておくことができる。
【００２１】
したがって、前記噴霧器本体の洗浄や保守時に、前記組成物供給タンクを紛失してしまうことを防止することができる。
【発明の効果】
【００２２】
このように、本発明の噴霧器にあっては、使用者による安定した保持を可能にして、取り扱いが容易で安定した噴霧操作を行なうことができる。
【図面の簡単な説明】
【００２３】
【図１】本発明の一実施形態を示す正面図である。
【図２】本発明の一実施形態を示す縦断面図である。
【図３】本発明の一実施形態にかかる噴霧器本体の平面図である。
【図４】本発明の一実施形態にかかる噴霧器本体の側面図である。
【図５】本発明の一実施形態にかかる噴霧器本体を分解した状態の平面図である。
【図６】本発明の一実施形態にかかる縦断面側面図である。
【発明を実施するための形態】
【００２４】
以下、本発明の一実施形態について図面を参照して説明する。
図において、符号１は本実施形態に関わる噴霧器を示している。この噴霧器１は、圧縮気体により塗布組成物を噴霧する噴霧器１であって、先端に前記塗布組成物の噴霧ヘッド２ａを有する噴霧器本体２と、前記圧縮気体が充填された加圧タンク３と、この加圧タンク３から前記噴霧器本体２に前記圧縮気体を供給する気体供給管４とを備えている。前記噴霧器本体２には、その先端部と後端部との間に、前記塗布組成物を供給する組成物供給タンク５と、前記塗布組成物を前記噴霧ヘッド２ａから噴出させる操作部Ｃが設けられているとともに、後端部に、使用者の手のひらによって把持される略卵形の把持部Ｇが形成されている。
【００２５】
さらに詳述すれば、前記噴霧器本体２は中空状に形成されており、図５および図６に示すように、その先端部に前記噴霧ヘッド２ａが組み込まれ、この噴霧ヘッド２ａの後方に前記組成物供給タンク５が着脱可能に装着されるカプラー６が組み込まれ、このカプラー６の後方に、前記操作部Ｃが組み込まれ、さらに、この操作部Ｃの後方に、前記圧縮気体の供給および停止をなす開閉弁７が組み込まれている。
【００２６】
前記カプラー６は、側部に前記組成物供給タンク５が装着されるタンク装着部６ａを備えている。
このタンク装着部６ａは、前記噴霧器本体２の側壁に形成されているタンク装着孔２ｂを経て外方へ露出させられている。
【００２７】
また、このカプラー６は、前記噴霧ヘッド２ａへ連通させられているとともに、前記組成物供給タンク５が装着された状態において、この組成物供給タンク５から塗布組成物が供給されるようになっている。
【００２８】
一方、前記噴霧ヘッド２ａに圧縮気体が供給されると、この圧縮気体が前記噴霧ヘッド２ａ内部を経て、この噴霧ヘッド２ａの先端から噴出させられるが、この圧縮気体の流れによって、前記噴霧ヘッド２ａに連通させられている前記カプラー６内部が負圧となされ、この負圧により、前記カプラー６に供給されている前記塗布組成物が吸引されて、前記圧縮気体とともに前記噴霧ヘッド２ａから噴出させられるようになっている。
【００２９】
前記組成物供給タンク５は、その先端部に、前記噴霧器本体２に形成されたタンク装着孔２ｂに挿入される円筒部が形成され、この円筒部の外面に、径方向外方に向かう係合突起８が突設されている（図６参照）。
【００３０】
この係合突起８は、前記タンク装着孔２ｂの内壁に径方向外方に向かって形成された切り欠き９に挿通させられるようになっている。
【００３１】
そして、前記組成物供給タンク５は、その円筒部を、前記タンク装着孔２ｂに対峙させた後に、前記係合突起８を前記切り欠き９内に挿通させつつ前記タンク装着孔２ｂに挿入し、ついで、前記組成物供給タンク５を軸線回りに回動させて、前記係合突起８を前記噴霧器本体２の内壁に係合させることにより、前記タンク装着孔２ｂ、すなわち、前記噴霧器本体２に装着される。
また、逆の操作によって、前記組成物供給タンク５は前記噴霧器本体２から取り外される。
【００３２】
前記噴霧ヘッド２ａは、前記開閉弁７に給気管１０を介して連通させられており、前記開閉弁７が解放された際に、前記加圧タンク３内の圧縮気体が供給されるようになっている。なお、加圧タンク３には、気体供給管４への圧縮気体の供給バルブが設けられている。この供給バルブは圧縮気体の供給量を複数段階に調整可能にするための調整部を備えている。これにより、噴霧ヘッドからの微風噴射も可能になっている。
【００３３】
前記操作部Ｃは、前記給気管１０の途中を跨ぐようにして配置された操作レバー１１を備えている。
【００３４】
この操作レバー１１は、図５に示すように、その基端部が、前記噴霧器本体２の内部において揺動自在に支持されており、また、他端部が、前記噴霧器本体２の側壁にその長さ方向に沿って形成されたガイド孔２ｃを経て外方に位置させられている。
【００３５】
そして、前記操作レバー１１の中間部は、前記開閉弁７の開閉ロッド７ａの動作面内において対峙させられており、その揺動動作によって、前記開閉ロッド７ａの押圧およびその解除を行ない、前記開閉弁７の開閉を行なうようになっている。
【００３６】
さらに、前記操作レバー１１は、前記噴霧器本体２内において、その内壁との間に介装された圧縮スプリング１２により、前記開閉弁７を閉状態とする方向に付勢させられている。
【００３７】
前記操作レバー１１は、使用者が前記把持部Ｇを把持した状態で、その他端部が、使用者の親指若しくは人差し指が位置させられる部位に設けられている。
【００３８】
本実施形態においては、図２に示すように、前記加圧タンク３を覆ってカバー１３が設けられ、このカバー１３が、その下部に前記加圧タンク３を上方から覆う下部収容部１３ａを備えているとともに、この下部収容部１３ａから上方へ向けて先細り状に連設され、その上端部に、前記噴霧器本体２の先端部が着脱可能に装着される本体保持部１３ｂが設けられた構成となっている。
【００３９】
前記カバー１３は、前記本体保持部１３ｂ近傍において、前記加圧タンク３の上端部に係止具１４を介して固定されるようになっている。
【００４０】
前記係止具１４は、前記下部収容部１３ａの上端部から上方へ突出させられており、その突出端に前記本体保持部１３ｂが取り付けられている。
【００４１】
前記カバー１３の側面には、前記気体供給管４の一端部が挿通されるガイド孔１３ｃが形成されているとともに、前記組成物供給タンク５が着脱可能に装着されるタンク保持部１３ｄが形成されている。
【００４２】
このタンク保持部１３ｄは、前記組成物供給タンク５の先端部が嵌合させられる凹部によって構成されている。
【００４３】
また、前記本体保持部１３ｂには、上方へ向かって開口する凹部１３ｅが形成され、この凹部１３ｅ内に前記組成物供給タンク５の先端が嵌合させられることにより、この組成物供給タンク５が倒立した状態で前記カバー１３に支持されるようになっている。
【００４４】
本実施形態においては、前記噴霧器本体２の把持部Ｇが略卵形に形成されていることにより、前記カバー１３に装着した際に、これらの外形が滑らかな曲線で結ばれた形状となされ、全体として、前記噴霧器本体２を栓体とした化粧瓶状となされる。
【００４５】
このように構成された本実施形態に関わる噴霧器１は、図１に示すように、前記噴霧器本体２を前記カバー１３の本体保持部１３ｂに差し込むことによって収納状態とする。
【００４６】
使用に当たっては、前記噴霧器本体２を前記カバー１３から取り外し、その把持部Ｇを手のひらで包み込むようにして把持する。
【００４７】
この状態において、把持した手の人差し指若しくは親指が、前記噴霧器本体２の側部に露出している前記操作レバー１１に重畳させられる。
【００４８】
これより、前記噴霧器本体２を握った状態で前記操作レバー１１を操作することにより、前記開閉弁７を解放して、前記加圧タンク３内の圧縮気体を前記噴霧ヘッド２ａへ送り込む。
【００４９】
このような圧縮気体の供給により、前記噴霧器本体２の後方に負圧領域が形成され、この負圧によって、前記噴霧器本体２に装着された前記組成物供給タンク５に充填されている塗布組成物が、前記カプラー６を経て前記噴霧ヘッド２ａに吸引されて、この噴霧ヘッド２ａが噴霧される。
【００５０】
ここで、前記噴霧器本体２が、使用者の手のひらによって包み込むように把持されていることにより、安定した保持状態を確保することができ、かつ、本実施形態においては、把持した状態で、前記操作レバー１１に使用者の親指若しくは人差し指が自然と対峙させられる。
【００５１】
したがって、使用者は、前記噴霧器本体２をしっかり保持することができるとともに、前記操作レバー１１を容易に操作することができる。
この結果、安定した塗布作業を行なうことができる。
【００５２】
一方、使用後においては、前記噴霧器本体２を前記組成物供給タンク５を装着した状態で前記カバー１３の本体保持部１３ｂに差し込んで収納する。
あるいは、前記組成物供給タンク５を前記噴霧器本体２から取り外し、この組成物供給タンク５を、前記カバー１３の前記タンク保持部１３ｄに移し替えて収納する。
【００５３】
このように、前記組成物供給タンク５を前記噴霧器本体２から取り外しておくのは、使用後において、前記噴霧器本体２のカプラー６内を洗浄して詰まりを防止するようにする際に好適である。
【００５４】
なお、前記実施形態において示した各構成部材の諸形状や寸法等は一例であって、設計要求等に基づき種々変更可能である。
【符号の説明】
【００５５】
１  噴霧器
２  噴霧器本体
２ａ  噴霧ヘッド
２ｂ  タンク装着孔
２ｃ  ガイド孔
３  加圧タンク
４  気体供給管
５  組成物供給タンク
６  カプラー
６ａ  タンク装着部
７  開閉弁
７ａ  開閉ロッド
８  係合突起
９  切り欠き
１０  給気管
１１  操作レバー
１２  圧縮スプリング
１３  カバー
１３ａ  下部収容部
１３ｂ  本体保持部
１３ｃ  ガイド孔
１３ｄ  タンク保持部
１３ｅ  凹部
１４  係止具
Ｃ  操作部
Ｇ  把持部
【図１】
2018000752.tif 000003
【図２】
2018000752.tif 000004
【図３】
2018000752.tif 000005
【図４】
2018000752.tif 000006
【図５】
2018000752.tif 000007
【図６】
2018000752.tif 000008
【手続補正書】
【提出日】平成29年3月27日(2017.3.27)
【手続補正１】
【補正対象書類名】特許請求の範囲
【補正対象項目名】請求項１
【補正方法】変更
【補正の内容】
【請求項１】
圧縮気体により塗布組成物を噴霧する噴霧器であって、先端に前記塗布組成物の噴霧ヘッドを有する噴霧器本体と、前記圧縮気体が充填された加圧タンクと、この加圧タンクから前記噴霧器本体に前記圧縮気体を供給する気体供給管とを備え、前記噴霧器本体は中空状に形成され、その先端部に前記噴霧ヘッドが組み込まれ、この噴霧ヘッドの後方に前記組成物供給タンクが着脱可能に装着されるカプラーが組み込まれ、このカプラーの後方に、前記塗布組成物を前記噴霧ヘッドから噴出させる操作部が組み込まれ、さらに、前記噴霧ヘッドの後端部で、前記操作部の後方に、前記圧縮気体の供給および停止をなす開閉弁が組み込まれ、この開閉弁が組み込まれた前記噴霧ヘッドの後端部の外形が、使用者の手のひらによって把持される略卵形の把持部となされており、前記噴霧ヘッド、前記カプラー、前記操作部、および、前記開閉弁が、前記噴霧器ヘッドの噴霧方向に沿うようにほぼ直線上に配置されていることを特徴とする噴霧器。
【手続補正書】
【提出日】平成29年6月13日(2017.6.13)
【手続補正１】
【補正対象書類名】特許請求の範囲
【補正対象項目名】全文
【補正方法】変更
【補正の内容】
【特許請求の範囲】
【請求項１】
圧縮気体により塗布組成物を噴霧する噴霧器であって、先端に前記塗布組成物の噴霧ヘッドを有する噴霧器本体と、前記圧縮気体が充填された加圧タンクと、この加圧タンクから前記噴霧器本体に前記圧縮気体を供給する気体供給管とを備え、前記噴霧器本体は中空状に形成され、その先端部に前記噴霧ヘッドが組み込まれ、この噴霧ヘッドの後方に前記塗布組成物を供給する組成物供給タンクが着脱可能に装着されるカプラーが組み込まれ、このカプラーの後方に、前記塗布組成物を前記噴霧ヘッドから噴出させる操作部が組み込まれ、さらに、前記噴霧器本体の後端部で、前記操作部の後方に、前記圧縮気体の供給および停止をなす開閉弁が組み込まれ、この開閉弁が組み込まれた前記噴霧器本体の後端部の外形が、使用者の手のひらによって把持される略卵形の把持部となされており、前記噴霧ヘッド、前記カプラー、前記操作部、および、前記開閉弁が、前記噴霧器ヘッドの噴霧方向に沿うようにほぼ直線上に配置されていることを特徴とする噴霧器。